(57)【要約】  本開示の１つの態様では、制御情報およびデータは、制御オーバヘッドを低減するために、同じサブフレーム中で搬送される。ワイヤレス通信のための方法、装置、およびコンピュータ可読媒体が提供される。装置は、第１のＵＥであり得る。第１のＵＥは、第２のＵＥに送信されるべきデータブロックを決定する。第１のＵＥは、データブロックを搬送するためにサブフレーム中の第１のリソースを決定し、データブロックを送信することに関連付けられた制御情報を搬送するためにサブフレーム中の第２のリソースを決定する。第１のＵＥは、それぞれ、決定された第１および第２のリソース上で、デバイス・ツー・デバイス通信チャネルにおいて第２のＵＥにデータブロックおよび制御情報を送信する。
2018523389.tif 000002
【特許請求の範囲】
【請求項１】
第１のユーザ機器（ＵＥ）のワイヤレス通信の方法であって、
第２のＵＥに送信されるべきデータブロックを決定することと、
前記データブロックを搬送するためのサブフレーム中の第１のリソースと、前記データブロックを送信することに関連付けられた制御情報を搬送するための前記サブフレーム中の第２のリソースとを決定することと、
それぞれ、前記決定された第１および第２のリソース上で、デバイス・ツー・デバイス通信チャネルにおいて前記第２のＵＥに前記データブロックおよび前記制御情報を送信することと
を備える、方法。
【請求項２】
前記データブロックおよび前記制御情報は、車両通信ブロードキャストメッセージを通して前記第２のＵＥに送信される、請求項１に記載の方法。
【請求項３】
前記デバイス・ツー・デバイス通信チャネルは、ロングタームエボリューション（ＬＴＥ）ダイレクトプロトコルを用いる、請求項１に記載の方法。
【請求項４】
前記第２のリソースは、前記サブフレーム内の固定された制御シンボルの少なくとも一部分を備え、前記制御シンボル内の多重化されたデータは存在しない、請求項１に記載の方法。
【請求項５】
前記制御シンボルは、複数のリソースエレメントを備え、前記第２のリソースは、前記複数のリソースエレメントからの固定された数のリソースエレメントを備える、請求項４に記載の方法。
【請求項６】
前記制御情報は、前記第１のリソースの割り振りを備える、請求項４に記載の方法。
【請求項７】
前記制御シンボルは、復調基準信号（ＤＭ−ＲＳ）シンボルに隣接する、請求項４に記載の方法。
【請求項８】
前記ＤＭ−ＲＳシンボルは、固定されたベースシーケンス、サイクリックシフト、および直交カバーコード（ＯＣＣ）を有する、固定された基準信号を使用する、請求項７に記載の方法。
【請求項９】
前記制御シンボルに隣接しないＤＭ−ＲＳシンボルは、前記制御情報に依存するパラメータを有する基準信号を使用する、請求項７に記載の方法。
【請求項１０】
前記制御情報は、前記データブロックの送信数、現在のデータ送信の冗長バージョン識別子（ＲＶＩＤ）、前記データブロックの変調およびコーディングスキーム（ＭＣＳ）、送信の時間リソースパターン（ＴＲＰＴ）、または後続の再送信の周波数情報のうちの１つまたは複数を備える、請求項１に記載の方法。
【請求項１１】
前記制御情報は、前記データブロックの第１の送信においてのみ存在し、前記データブロックの後続の再送信は、前記制御情報を搬送しない、請求項１に記載の方法。
【請求項１２】
ワイヤレス通信のための装置であって、前記装置は、第１のユーザ機器（ＵＥ）であり、
第２のＵＥに送信されるべきデータブロックを決定するための手段と、
前記データブロックを搬送するためのサブフレーム中の第１のリソースと、前記データブロックを送信することに関連付けられた制御情報を搬送するための前記サブフレーム中の第２のリソースとを決定するための手段と、
それぞれ、前記決定された第１および第２のリソース上で、デバイス・ツー・デバイス通信チャネルにおいて前記第２のＵＥに前記データブロックおよび前記制御情報を送信するための手段と
を備える、装置。
【請求項１３】
前記第２のリソースは、前記サブフレーム内の固定された制御シンボルの少なくとも一部分を備え、前記制御シンボル内の多重化されたデータは存在しない、請求項１２に記載の装置。
【請求項１４】
前記制御シンボルは、複数のリソースエレメントを備え、前記第２のリソースは、前記複数のリソースエレメントからの固定された数のリソースエレメントを備える、請求項１３に記載の装置。
【請求項１５】
前記制御情報は、前記第１のリソースの割り振りを備える、請求項１３に記載の装置。
【請求項１６】
前記制御シンボルは、復調基準信号（ＤＭ−ＲＳ）シンボルに隣接する、請求項１３に記載の装置。
【請求項１７】
前記ＤＭ−ＲＳシンボルは、固定されたベースシーケンス、サイクリックシフト、および直交カバーコード（ＯＣＣ）を有する、固定された基準信号を使用する、請求項１６に記載の装置。
【請求項１８】
前記制御シンボルに隣接しないＤＭ−ＲＳシンボルは、前記制御情報に依存するパラメータを有する基準信号を使用する、請求項１６に記載の装置。
【請求項１９】
前記制御情報は、前記データブロックの送信数、現在のデータ送信の冗長バージョン識別子（ＲＶＩＤ）、前記データブロックの変調およびコーディングスキーム（ＭＣＳ）、送信の時間リソースパターン（ＴＲＰＴ）、または後続の再送信の周波数情報のうちの１つまたは複数を備える、請求項１２に記載の装置。
【請求項２０】
前記制御情報は、前記データブロックの第１の送信においてのみ存在し、前記データブロックの後続の再送信は、前記制御情報を搬送しない、請求項１２に記載の装置。
【請求項２１】
ワイヤレス通信のための装置であって、前記装置は、第１のユーザ機器（ＵＥ）であり、
メモリと、
前記メモリに結合され、
第２のＵＥに送信されるべきデータブロックを決定することと、
前記データブロックを搬送するためのサブフレーム中の第１のリソースと、前記データブロックを送信することに関連付けられた制御情報を搬送するための前記サブフレーム中の第２のリソースとを決定することと、
それぞれ、前記決定された第１および第２のリソース上で、デバイス・ツー・デバイス通信チャネルにおいて前記第２のＵＥに前記データブロックおよび前記制御情報を送信することと
を行うように構成された少なくとも１つのプロセッサと
を備える、装置。
【請求項２２】
前記第２のリソースは、前記サブフレーム内の固定された制御シンボルの少なくとも一部分を備え、前記制御シンボル内の多重化されたデータは存在しない、請求項２１に記載の装置。
【請求項２３】
前記制御シンボルは、複数のリソースエレメントを備え、前記第２のリソースは、前記複数のリソースエレメントからの固定された数のリソースエレメントを備える、請求項２２に記載の装置。
【請求項２４】
前記制御情報は、前記第１のリソースの割り振りを備える、請求項２２に記載の装置。
【請求項２５】
前記制御シンボルは、復調基準信号（ＤＭ−ＲＳ）シンボルに隣接する、請求項２２に記載の装置。
【請求項２６】
前記ＤＭ−ＲＳシンボルは、固定されたベースシーケンス、サイクリックシフト、および直交カバーコード（ＯＣＣ）を有する、固定された基準信号を使用する、請求項２５に記載の装置。
【請求項２７】
前記制御シンボルに隣接しないＤＭ−ＲＳシンボルは、前記制御情報に依存するパラメータを有する基準信号を使用する、請求項２５に記載の装置。
【請求項２８】
前記制御情報は、前記データブロックの送信数、現在のデータ送信の冗長バージョン識別子（ＲＶＩＤ）、前記データブロックの変調およびコーディングスキーム（ＭＣＳ）、送信の時間リソースパターン（ＴＲＰＴ）、または後続の再送信の周波数情報のうちの１つまたは複数を備える、請求項２１に記載の装置。
【請求項２９】
前記制御情報は、前記データブロックの第１の送信においてのみ存在し、前記データブロックの後続の再送信は、前記制御情報を搬送しない、請求項２１に記載の装置。
【請求項３０】
ワイヤレス通信のためのコンピュータ実行可能なコードを記憶するコンピュータ可読媒体であって、
第１のユーザ機器（ＵＥ）において、第２のＵＥに送信されるべきデータブロックを決定することと、
前記データブロックを搬送するためのサブフレーム中の第１のリソースと、前記データブロックを送信することに関連付けられた制御情報を搬送するための前記サブフレーム中の第２のリソースとを決定することと、
それぞれ、前記決定された第１および第２のリソース上で、デバイス・ツー・デバイス通信チャネルにおいて前記第２のＵＥに前記データブロックおよび前記制御情報を送信することと
を行うためのコードを備える、コンピュータ可読媒体。
【発明の詳細な説明】
【関連出願の相互参照】
【０００１】
[0001]  本願は、２０１５年７月１日に出願され、「SCHEDULING ASSIGNMENT OPTIMIZATION FOR DEVICE-TO-DEVICE COMMUNICATIONS」と題された、米国仮特許出願第６２／１８７，７４５号、および２０１６年５月１９日に出願され、「SCHEDULING ASSIGNMENT OPTIMIZATION FOR DEVICE-TO-DEVICE COMMUNICATIONS」と題された、米国特許出願第１５／１５９，７５６号の利益を主張し、それらは、その全体が本明細書に参照により明示的に組み込まれている。
【背景技術】
【０００２】
分野
[0002]  本開示は、一般に、通信システムに関し、より具体的には、デバイス・ツー・デバイス通信システムのためのスケジューリング割り当てに関する。
【０００３】
背景技術
[0003]  ワイヤレス通信システムは、電話通信、映像、データ、メッセージング、およびブロードキャストのような様々な電気通信サービスを提供するために広く展開されている。典型的なワイヤレス通信システムは、利用可能なシステムリソース（例えば、帯域幅、送信電力）を共有することによって複数のユーザとの通信をサポートすることが可能な多元接続技術を用い得る。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、時分割同期符号分割多元接続（ＴＤ−ＳＣＤＭＡ）システムを含む。
【０００４】
[0004]  これらの多元接続技術は、異なるワイヤレスデバイスが都市、国家、地域、さらには地球規模で通信することを可能にする共通プロトコルを提供するために、様々な電気通信規格において採用されている。例示的な電気通信規格は、ロングタームエボリューション（ＬＴＥ（登録商標））である。ＬＴＥは、第３世代パートナシッププロジェクト（３ＧＰＰ（登録商標））によって公表された、ユニバーサルモバイル電気通信システム（ＵＭＴＳ）モバイル規格への拡張のセットである。ＬＴＥは、スペクトル効率を改善すること、コストを下げること、サービスを改善すること、新たなスペクトルを利用すること、およびダウンリンク（ＤＬ）上ではＯＦＤＭＡを、アップリンク（ＵＬ）上ではＳＣ−ＦＤＭＡを、および多入力多出力（ＭＩＭＯ）アンテナ技術を使用して、他のオープン規格とより良く統合することによって、モバイルブロードバンドインターネットアクセスをより良くサポートするように設計される。しかしながら、モバイルブロードバンドアクセスに対する需要が増大し続けるにつれて、ＬＴＥ技術におけるさらなる改良の必要性が存在する。望ましくは、これらの改善は、これらの技術を用いる他の多元アクセス技術および電気通信規格に適用可能であるべきである。
【０００５】
[0005]  従来のデバイス・ツー・デバイス通信システムでは、あるＵＥがデバイス・ツー・デバイス通信において別のＵＥと通信するときに、送信されるべきデータおよびそのデータを送信するための制御情報は、別個のサブフレーム中で搬送される。制御情報およびデータが別個のサブフレーム中で搬送されるため、制御情報を送信するためのオーバヘッドが負担となり得る。
【発明の概要】
【０００６】
[0006]  以下は、１つまたは複数の態様の基本的な理解を提供するために、そのような態様の簡略化された概要を提示する。この概要は、全ての考慮される態様の広範な概要ではなく、すべての態様のキーとなるまたは重要な要素を特定することも、任意のまたはすべての態様の範囲を示すことも意図しない。その唯一の目的は、後に提示されるさらなる詳細な説明への序文として、簡略化された形態で１つまたは複数の態様のうちのいくつかの概念を提示することである。
【０００７】
[0007]  従来のデバイス・ツー・デバイス通信システムでは、あるＵＥがデバイス・ツー・デバイス通信において別のＵＥと通信するときに、送信されるべきデータおよびそのデータを送信するための制御情報は、別個のサブフレーム中で搬送される。よって、制御情報を送信するためのオーバヘッドが負担となり得る。本開示の１つの構成では、制御情報およびデータは、制御オーバヘッドを低減するために、同じサブフレーム中で搬送される。
【０００８】
[0008]  本開示のある態様では、ワイヤレス通信のための方法、コンピュータ可読媒体、および装置が提供される。装置は、第１のＵＥであり得る。第１のＵＥは、第２のＵＥに送信されるべきデータブロックを決定する。第１のＵＥは、データブロックを搬送するためにサブフレーム中の第１のリソースを決定し、データブロックを送信することに関連付けられた制御情報を搬送するためにサブフレーム中の第２のリソースを決定する。第１のＵＥは、それぞれ、決定された第１および第２のリソース上で、デバイス・ツー・デバイス通信チャネルにおいて第２のＵＥにデータブロックおよび制御情報を送信する。
【０００９】
[0009]  １つの構成では、データブロックおよび制御情報は、車両通信ブロードキャストメッセージを通して第２のＵＥに送信され得る。１つの構成では、デバイス・ツー・デバイス通信チャネルは、ＬＴＥダイレクトプロトコルを用い得る。１つの構成では、第２のリソースは、サブフレーム内の固定された制御シンボルの少なくとも一部分を含み得る。制御シンボルは、いくつかのリソースエレメントを含み得る。第２のリソースは、制御シンボルの固定された数のリソースエレメントを含み得る。１つの構成では、制御シンボル内の多重化されたデータは存在しない。１つの構成では、制御情報は、第１のリソースの割り振りを含み得る。
【００１０】
[0010]  １つの構成では、制御シンボルは、ＤＭ−ＲＳシンボルに隣接し得、それは固定されたベースシーケンス、サイクリックシフト、およびＯＣＣを有する、固定された基準信号を使用し得る。制御シンボルに隣接しないＤＭ−ＲＳシンボルは、制御情報に依存するパラメータを有する基準信号を使用し得る。
【００１１】
[0011]  １つの構成では、制御情報は、データブロックの送信数、現在のデータ送信のＲＶＩＤ、データブロックのＭＣＳ、ＴＲＰＴ、または後続の再送信の周波数情報のうちの１つまたは複数を含み得る。制御情報は、ＴＲＰＴの代わりに、データブロックの次の再送信の増分スケジューリング（incremental scheduling）を含み得る。１つの構成では、制御情報は、データブロックの第１の送信においてのみ存在し得、データブロックの後続の再送信は、制御情報を搬送しない。
【００１２】
[0012]  本開示の別の態様では、ワイヤレス通信のための方法、コンピュータ可読媒体、および装置が提供される。装置は、第１のＵＥであり得る。第１のＵＥは、データブロックを搬送するサブフレーム中の１つまたは複数のデータリソースと、データブロックを送信するための制御情報を搬送するサブフレーム中の予め定められた制御リソースとを有する、第２のＵＥからのデバイス・ツー・デバイス通信チャネルを受信する。第１のＵＥは、サブフレーム中の予め定められた制御リソースから制御情報を復号する。第１のＵＥは、復号された制御情報に基づいて、サブフレーム中の１つまたは複数のデータリソースからデータブロックを検索する。
【００１３】
[0013]  １つの構成では、データブロックおよび制御情報は、車両通信ブロードキャストメッセージを通して受信され得る。１つの構成では、デバイス・ツー・デバイス通信チャネルは、ＬＴＥダイレクトプロトコルを用い得る。
【００１４】
[0014]  １つの構成では、予め定められた制御リソースは、サブフレーム内の固定された制御シンボルの少なくとも一部分を含み得る。制御情報を復号するために、第１のＵＥは、固定された制御シンボルから制御情報を検索し得る。１つの構成では、制御シンボルは、いくつかのリソースエレメントを含み得、予め定められた制御リソースは、いくつかのリソースエレメントからの固定された数のリソースエレメントを含み得る。１つの構成では、制御情報は、データブロックを搬送する１つまたは複数のデータリソースの割り振りを含み得る。１つの構成では、割り振りは、１つまたは複数のデータリソースのサイズおよび開始を含み得る。別の構成では、割り振りは、１つまたは複数のデータリソースのサイズを含み得、１つまたは複数のデータリソースの開始は、１つまたは複数のデータリソースの制御シンボルの開始またはサイズに基づいて決定され得る。
【００１５】
[0015]  １つの構成では、制御シンボルは、ＤＭ−ＲＳシンボルに隣接し得る。１つの構成では、ＤＭ−ＲＳシンボルは、固定されたベースシーケンス、サイクリックシフト、およびＯＣＣを有する、固定された基準信号を使用し得る。１つの構成では、制御シンボルに隣接しないＤＭ−ＲＳシンボルは、制御情報に依存するパラメータを有する基準信号を使用し得る。
【００１６】
[0016]  １つの構成では、制御情報は、データブロックの送信数、現在のデータ送信のＲＶＩＤ、データブロックのＭＣＳ、ＴＲＰＴ、または後続の再送信の周波数情報のうちの１つまたは複数を含み得る。１つの構成では、制御情報は、ＴＲＰＴの代わりに、データブロックの次の再送信の増分スケジューリングを含み得る。
【００１７】
[0017]  前述のおよび関連する目的の達成のために、１つまたは複数の態様は、以下において十分に説明され、請求項中で特に指摘される特徴を備える。下記の説明および添付された図面は、１つまたは複数の態様の特定の例示的な特徴を詳細に記載する。しかしながら、これらの特徴は、様々な態様の原理が用いられ得る様々な方法のうちのごく一部を示し、本説明は、全てのそのような態様およびそれらの同等物を含むことが意図される。
【図面の簡単な説明】
【００１８】
【図１】[0018]  図１は、ワイヤレス通信システムおよびアクセスネットワークの例を図示する図である。
【図２Ａ】[0019]  図２Ａは、ＤＬフレーム構造のＬＴＥ例を図示する図である。
【図２Ｂ】図２Ｂは、ＤＬフレーム構造内のＤＬチャネルのＬＴＥ例を図示する図である。
【図２Ｃ】図２Ｃは、ＵＬフレーム構造のＬＴＥ例を図示する図である。
【図２Ｄ】図２Ｄは、ＵＬフレーム構造内のＵＬチャネルのＬＴＥ例を図示する図である。
【図３】図３は、アクセスネットワーク中の発展型ノードＢ（ｅＮＢ）とユーザ機器（ＵＥ）との例を図示する図である。
【図４】[0021]  図４は、デバイス・ツー・デバイス通信システムの図である。
【図５】[0022]  図５は、デバイス・ツー・デバイス通信システムにおいて同じサブフレーム中で制御情報およびデータを搬送する例を図示する図である。
【図６】[0023]  図６は、デバイス・ツー・デバイス通信においてデータおよび制御情報の両方を搬送するサブフレームの例を図示する図である。
【図７】[0024]  図７は、ワイヤレス通信の方法のフローチャートである。
【図８】[0025]  図８は、ワイヤレス通信の方法のフローチャートである。
【図９】[0026]  図９は、例示的な装置における異なる手段／コンポーネント間のデータフローを図示する概念的なデータフロー図である。
【図１０】[0027]  図１０は、処理システムを用いる装置のためのハードウェア実装の例を図示する図である。
【詳細な説明】
【００１９】
[0028]  添付の図面に関連して下記に述べられる詳細な説明は、様々な構成の説明を意図したものであり、本明細書において説明される概念が実現され得る、唯一の構成を表すことを意図したものではない。詳細な説明は、様々な概念の完全な理解を提供する目的のために特定の詳細を含む。しかしながら、これらの概念がこれらの特定の詳細なしに実施され得ることは当業者にとって明らかだろう。いくつかの例では、このような概念を曖昧にすることを避けるために、周知の構造およびコンポーネントがブロック図形式で示される。
【００２０】
[0029]  ここで、電気通信システムのいくつかの態様が、様々な装置および方法に関連して示される。これらの装置および方法は、以下の詳細な説明において説明され、添付の図面において、様々なブロック、コンポーネント、回路、処理、アルゴリズムなど（集合的に「要素」と呼ばれる）によって図示される。これらの要素は、電子ハードウェア、コンピュータソフトウェア、またはそれらの任意の組み合わせを使用して実装され得る。このような要素が、ハードウェアとして実施されるか、あるいはソフトウェアとして実施されるかは、特定のアプリケーションおよびシステム全体に課せられる設計制約に依存する。
【００２１】
[0030]  例として、要素、または要素の任意の一部、あるいは要素の任意の組み合わせは、１つまたは複数のプロセッサを含む「処理システム」として実装され得る。プロセッサの例は、マイクロプロセッサ、マイクロコントローラ、グラフィックス処理ユニット（ＧＰＵ）、中央処理ユニット（ＣＰＵ）、アプリケーションプロセッサ、デジタルシグナルプロセッサ（ＤＳＰ）、縮小命令セットコンピューティング（ＲＩＳＣ）プロセッサ、システムオンチップ（ＳｏＣ）、ベースバンドプロセッサ、フィールドプログラマブルゲートアレイ（ＦＰＧＡ）、プログラマブルロジックデバイス（ＰＬＤ）、ステートマシン、ゲートロジック、ディスクリートハードウェア回路、および本開示全体を通じて説明される様々な機能を行うように構成された他の適切なハードウェアを含む。処理システム中の１つまたは複数のプロセッサは、ソフトウェアを実行し得る。ソフトウェアは、ソフトウェアと呼ばれるか、ファームウェアと呼ばれるか、ミドルウェアと呼ばれるか、マイクロコードと呼ばれるか、ハードウェア記述言語と呼ばれるか、またはその他の名称で呼ばれるかに関わらず、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるべきである。
【００２２】
[0031]  従って、１つまたは複数の例示的な実施形態では、説明される機能は、ハードウェア、ソフトウェア、またはこれらの任意の組み合わせで実装され得る。ソフトウェアで実装された場合、この機能は、コンピュータ可読媒体上の１つまたは複数の命令またはコードとして記憶または符号化され得る。コンピュータ可読媒体は、コンピュータ記憶媒体を含む。記憶媒体は、コンピュータによってアクセスされ得る任意の利用可能な媒体であり得る。限定ではなく例として、このようなコンピュータ可読媒体は、ランダムアクセスメモリ（ＲＡＭ）、読取専用メモリ（ＲＯＭ）、電気的消去可能プログラマブルＲＯＭ（ＥＥＰＲＯＭ（登録商標））、光ディスク記憶装置、磁気ディスク記憶装置、他の磁気記憶デバイス、前述されたタイプのコンピュータ可読媒体の組み合わせ、またはコンピュータによってアクセスされ得るデータ構造あるいは命令の形式でコンピュータ実行可能コードを記憶するために使用され得る任意の他の媒体を備え得る。
【００２３】
[0032]  図１は、ワイヤレス通信システムおよびアクセスネットワーク１００の例を図示する図である。ワイヤレス通信システム（ワイヤレスワイドエリアネットワーク（ＷＷＡＮ）とも呼ばれる）は、基地局１０２、ＵＥ１０４、および発展型パケットコア（ＥＰＣ）１６０を含む。基地局１０２は、マクロセル（高電力セルラ基地局）および／またはスモールセル（低電力セルラ基地局）を含み得る。マクロセルは、ｅＮＢを含む。スモールセルは、フェムトセル、ピコセル、およびマイクロセルを含む。
【００２４】
[0033]  基地局（base stations）１０２（一括して発展型ユニバーサルモバイル電気通信システム（ＵＭＴＳ）地上無線アクセスネットワーク（Ｅ−ＵＴＲＡＮ）と呼ばれる）は、バックホールリンク１３２（例えば、Ｓ１インターフェース）を通じてＥＰＣ１６０とインターフェースする。他の機能に加えて、基地局１０２は、以下の機能：ユーザデータの転送、無線チャネル暗号化および暗号解読、完全性保護、ヘッダ圧縮、モビリティ制御機能（例えば、ハンドオーバ、デュアルコネクティビティ）、セル間干渉協調、接続セットアップおよび解放、負荷バランシング、非アクセス層（ＮＡＳ）メッセージについての分配、ＮＡＳノード選択、同期、無線アクセスネットワーク（ＲＡＮ）共有、マルチメディアブロードキャストマルチキャストサービス（ＭＢＭＳ）、加入者および機器トレース、ＲＡＮ情報管理（ＲＩＭ）、ページング、測位、および警告メッセージの配信のうちの１つまたは複数を行い得る。基地局１０２は、バックホールリンク１３４（例えば、Ｘ２インターフェース）を介して互いと（例えば、ＥＰＣ１６０を通じて）直接的にまたは間接的に通信し得る。バックホールリンク１３４は、ワイヤードまたはワイヤレスであり得る。
【００２５】
[0034]  基地局１０２は、ＵＥ１０４とワイヤレスに通信し得る。基地局１０２の各々は、それぞれの地理的カバレッジエリア１１０に対して通信カバレッジを提供し得る。オーバーラップしている地理的カバレッジエリア１１０が存在し得る。例えば、スモールセル１０２’は、１つまたは複数のマクロ基地局１０２のカバレッジエリア１１０とオーバーラップするカバレッジエリア１１０’を有し得る。スモールセルとマクロセルとの両方を含むネットワークは、異種ネットワークとして知られ得る。異種ネットワークはまた、ホーム発展型ノードＢ（ｅＮＢ）（ＨｅＮＢ）を含み得、それは、クローズド加入者グループ（ＣＳＧ）として知られる制限されたグループにサービスを提供し得る。基地局１０２とＵＥ１０４との間の通信リンク１２０は、ＵＥ１０４から基地局１０２へのアップリンク（ＵＬ）（逆方向リンクとも呼ばれる）送信および／または基地局１０２からＵＥ１０４へのダウンリンク（ＤＬ）（順方向リンクとも呼ばれる）送信を含み得る。通信リンク１２０は、空間多重化、ビームフォーミング、および／または送信ダイバーシティを含むＭＩＭＯアンテナ技術を使用し得る。通信リンクは、１つまたは複数のキャリアを通り得る。基地局１０２／ＵＥ１０４は、各方向での送信のために使用される最大で合計Ｙｘ ＭＨｚ（ｘ個のコンポーネントキャリア）のキャリアアグリゲーションにおいて割り振られるキャリアあたり最大Ｙ ＭＨｚ（例えば、５、１０、１５、２０ＭＨｚ）帯域幅のスペクトルを使用し得る。キャリアは、互いに隣接し得るか、またはしない可能性がある。キャリアの割り振りは、ＤＬおよびＵＬに対して非対称であり得る（例えば、ＵＬに対してより多くのまたは少ないキャリアがＤＬに対して割り振られ得る）。コンポーネントキャリアは、１つの一次コンポーネントキャリアと１つまたは複数の二次コンポーネントキャリアとを含み得る。一次コンポーネントキャリアは、一次セル（ＰＣｅｌｌ）と呼ばれ得、二次コンポーネントキャリアは、二次セル（ＳＣｅｌｌ）と呼ばれ得る。
【００２６】
[0035]  ワイヤレス通信システムはさらに、５ＧＨｚのライセンスされていない周波数スペクトル中で通信リンク１５４を介してＷｉ−Ｆｉ局（ＳＴＡ）１５２と通信状態にあるＷｉ−Ｆｉアクセスポイント（ＡＰ）１５０を含み得る。ライセンスされていない周波数スペクトル中で通信するとき、ＳＴＡ１５２／ＡＰ１５０は、チャネルが利用可能かどうかを決定するために、通信するより前にクリアチャネル評価（ＣＣＡ）を行い得る。
【００２７】
[0036]  スモールセル１０２’は、ライセンスされているおよび／またはライセンスされていない周波数スペクトル中で動作し得る。ライセンスされていない周波数スペクトル中で動作するとき、スモールセル１０２’は、ＬＴＥを用い、Ｗｉ−Ｆｉ ＡＰ１５０によって使用されるのと同じ５ＧＨｚのライセンスされていない周波数スペクトルを使用し得る。ライセンスされていない周波数スペクトル中でＬＴＥを用いるスモールセル１０２’は、アクセスネットワークに対するカバレッジを強化する（boost）および／またはアクセスネットワークのキャパシティを増大させ得る。ライセンスされていないスペクトル中のＬＴＥは、ＬＴＥ−ｕｎｌｉｃｅｎｓｅｄ（ＬＴＥ−Ｕ）、ライセンスト支援アクセス（ＬＡＡ：licensed assisted access）、またはＭｕＬＴＥｆｉｒｅと呼ばれ得る。
【００２８】
[0037]  ＥＰＣ１６０は、モビリティ管理エンティティ（ＭＭＥ）１６２、他のＭＭＥ１６４、サービングゲートウェイ１６６、マルチメディアブロードキャストマルチキャストサービス（ＭＢＭＳ）ゲートウェイ１６８、ブロードキャストマルチキャストサービスセンター（ＢＭ−ＳＣ）１７０、およびパケットデータネットワーク（ＰＤＮ）ゲートウェイ１７２を含み得る。ＭＭＥ１６２は、ホーム加入者サーバ（ＨＳＳ）１７４と通信状態にあり得る。ＭＭＥ１６２は、ＵＥ１０４とＥＰＣ１６０との間でのシグナリングを処理する制御ノードである。概して、ＭＭＥ１６２は、ベアラおよび接続管理を提供する。全てのユーザインターネットプロトコル（ＩＰ）パケットは、サービングゲートウェイ１６６を通じて転送され、それ自体は、ＰＤＮゲートウェイ１７２に接続される。ＰＤＮゲートウェイ１７２は、ＵＥ ＩＰアドレス割り振り、ならびに他の機能を提供する。ＰＤＮゲートウェイ１７２およびＢＭ−ＳＣ１７０は、ＩＰサービス１７６に接続される。ＩＰサービス１７６は、インターネット、イントラネット、ＩＰマルチメディアサブシステム（ＩＭＳ）、ＰＳストリーミングサービス（ＰＳＳ）、および／または他のＩＰサービスを含み得る。ＢＭ−ＳＣ１７０は、ＭＢＭＳユーザサービスプロビジョニングおよび配信のための機能を提供し得る。ＢＭ−ＳＣ１７０は、コンテンツプロバイダＭＢＭＳ送信用のエントリポイントとしての役割を果たし得、公衆陸上モバイルネットワーク（ＰＬＭＮ：public land mobile network）内のＭＢＭＳベアラサービスを認可および開始するために使用され得、ＭＢＭＳ送信をスケジュールするために使用され得る。ＭＢＭＳゲートウェイ１６８は、特定のサービスをブロードキャストするマルチキャストブロードキャスト単一周波数ネットワーク（ＭＢＳＦＮ）エリアに属する基地局１０２にＭＢＭＳトラフィックを分配するために使用され得、セッション管理（開始／停止）およびｅＭＢＭＳに関連する課金情報（charging information）を収集することを担い得る。
【００２９】
[0038]  基地局はまた、ノードＢ、発展型ノードＢ（ｅＮＢ）、アクセスポイント、ベーストランシーバ局、無線基地局、無線トランシーバ、トランシーバ機能、基本サービスセット（ＢＳＳ）、拡張サービスセット（ＥＳＳ）、または何らかの他の適切な専門用語で呼ばれ得る。基地局１０２は、ＵＥ１０４に対してＥＰＣ１６０へのアクセスポイントを提供する。ＵＥ１０４の例は、セルラフォン、スマートフォン、セッション開始プロトコル（ＳＩＰ）フォン、ラップトップ、携帯情報端末（ＰＤＡ）、衛星ラジオ、全地球測位システム、マルチメディアデバイス、ビデオデバイス、デジタルオーディオプレーヤ（例えば、ＭＰ３プレーヤ）、カメラ、ゲーム機器、タブレット、スマートデバイス、ウェアラブルデバイス、または任意の他の同様の機能的なデバイスを含む。ＵＥ１０４はまた、局、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な専門用語で呼ばれ得る。
【００３０】
[0039]  図１を再び参照すると、ある特定の態様では、ＵＥ１０４は、デバイス・ツー・デバイス通信のためのスケジューリング割り当てを最適化する（１９８）ように構成され得る。１９８で行われる動作の詳細は、図５−１０に関連して下記にさらに説明される。
【００３１】
[0040]  図２Ａは、ＬＴＥにおけるＤＬフレーム構造の例を図示する図２００である。図２Ｂは、ＬＴＥにおけるＤＬフレーム構造内のチャネルの例を図示する図２３０である。図２Ｃは、ＬＴＥにおけるＵＬフレーム構造の例を図示する図２５０である。図２Ｄは、ＬＴＥにおけるＵＬフレーム構造内のチャネルの例を図示する図２８０である。他のワイヤレス通信技術は、異なるフレーム構造および／または異なるチャネルを有し得る。ＬＴＥでは、フレーム（１０ｍｓ）は、１０個の等しいサイズのサブフレームに分割され得る。各サブフレームは、２つの連続したタイムスロットを含み得る。２つのタイムスロットを表すためにリソースグリッドが使用され得、各タイムスロットは、１つまたは複数の時間同時並行（time concurrent）リソースブロック（ＲＢ）（物理ＲＢ（ＰＲＢ）とも呼ばれる）を含む。リソースグリッドは、複数のリソースエレメント（ＲＥ）に分割される。ＬＴＥでは、通常のサイクリックプレフィックスについて、ＲＢは、周波数ドメイン中に１２個の連続したサブキャリアを含み、時間ドメイン中に７個の連続したシンボルを（ＤＬについてはＯＦＤＭシンボルを、ＵＬについてはＳＣ−ＦＤＭＡシンボルを）含み、合計で８４個のＲＥとなる。拡張されたサイクリックプレフィックスについて、ＲＢは、周波数ドメイン中に１２個の連続したサブキャリアを含み、時間ドメイン中に６個の連続したシンボルを含み、合計で７２個のＲＥとなる。各ＲＥによって搬送されるビットの数は、変調スキームに依存する。
【００３２】
[0041]  図２Ａ中に例示されるように、ＲＥのうちのいくつかは、ＵＥにおけるチャネル推定のためにＤＬ基準（パイロット）信号（ＤＬ−ＲＳ）を搬送する。ＤＬ−ＲＳは、セル固有基準信号（ＣＲＳ）（共通ＲＳとも呼ばれる）、ＵＥ固有基準信号（ＵＥ−ＲＳ）、およびチャネル状態情報基準信号（ＣＳＩ−ＲＳ）を含み得る。図２Ａは、アンテナポート０、１、２、および３（それぞれ、Ｒ０、Ｒ１、Ｒ２、およびＲ３と示されている）に対するＣＲＳ、アンテナポート５（Ｒ５と示されている）に対するＵＥ−ＲＳ、およびアンテナポート１５（Ｒと示されている）に対するＣＳＩ−ＲＳを図示する。図２Ｂは、フレームのＤＬサブフレーム内の様々なチャネルの例を図示する。物理制御フォーマットインジケータチャネル（ＰＣＦＩＣＨ）は、スロット０のシンボル０内にあり、物理ダウンリンク制御チャネル（ＰＤＣＣＨ）が１つのシンボルを占有するか、２つのシンボルを占有するか、または３つのシンボルを占有するかを示す制御フォーマットインジケータ（ＣＦＩ）を搬送する（図２Ｂは、３つのシンボルを占有するＰＤＣＣＨを図示する）。ＰＤＣＣＨは、１つまたは複数の制御チャネル要素（ＣＣＥ）内のダウンリンク制御情報（ＤＣＩ）を搬送し、各ＣＣＥは、９つのＲＥグループ（ＲＥＧ）を含み、各ＲＥＧは、ＯＦＤＭシンボル中に４つの連続したＲＥを含む。ＵＥは、これもまたＤＣＩを搬送するＵＥ固有拡張ＰＤＣＣＨ（ｅＰＤＣＣＨ）で構成され得る。ｅＰＤＣＣＨは、２、４、または８つのＲＢペアを有し得る（図２Ｂは、２つのＲＢペアを示しており、各サブセットは、１つのＲＢペアを含む）。物理ハイブリッド自動再送要求（ＡＲＱ）（ＨＡＲＱ）インジケータチャネル（ＰＨＩＣＨ）もまた、スロット０のシンボル０内にあり、物理アップリンク共有チャネル（ＰＵＳＣＨ）に基づいてＨＡＲＱ確認応答（ＡＣＫ）／否定ＡＣＫ（ＮＡＣＫ）フィードバックを示すＨＡＲＱインジケータ（ＨＩ）を搬送する。一次同期チャネル（ＰＳＣＨ）は、フレームのサブフレーム０および５内のスロット０のシンボル６内にあり、サブフレームタイミングおよび物理レイヤアイデンティティを決定するためにＵＥによって使用される一次同期信号（ＰＳＳ）を搬送する。二次同期チャネル（ＳＳＣＨ）は、フレームのサブフレーム０および５内のスロット０のシンボル５内にあり、物理レイヤセルアイデンティティグループ番号を決定するためにＵＥによって使用される二次同期信号（ＳＳＳ）を搬送する。物理レイヤアイデンティティおよび物理レイヤセルアイデンティティグループ番号に基づいて、ＵＥは、物理セル識別子（ＰＣＩ）を決定し得る。ＰＣＩに基づいて、ＵＥは、前述されたＤＬ−ＲＳのロケーションを決定し得る。物理ブロードキャストチャネル（ＰＢＣＨ）は、フレームのサブフレーム０のスロット１のシンボル０、１、２、３内にあり、マスタ情報ブロック（ＭＩＢ）を搬送する。ＭＩＢは、ＤＬシステム帯域幅中のＲＢの数、ＰＨＩＣＨ構成、およびシステムフレーム番号（ＳＦＮ）を提供する。物理ダウンリンク共有チャネル（ＰＤＳＣＨ）は、ページングメッセージ、システム情報ブロック（ＳＩＢ）のようなＰＢＣＨを通じて送信されないブロードキャストシス���ム情報、およびユーザデータを搬送する。
【００３３】
[0042]  図２Ｃ中に例示されているように、ＲＥのうちのいくつかは、ｅＮＢにおけるチャネル推定のために復調基準信号（ＤＬ−ＲＳ）を搬送する。ＵＥは加えて、サブフレームの最後のシンボル中でサウンディング基準信号（ＳＲＳ）を送信し得る。ＳＲＳは、コーム構造（comb structure）を有し得、ＵＥは、そのコームのうちの１つでＳＲＳを送信し得る。ＳＲＳは、ＵＬ上での周波数依存スケジューリングを可能にするために、チャネル品質推定のためにｅＮＢによって使用され得る。図２Ｄは、フレームのＵＬサブフレーム内の様々なチャネルの例を図示する。物理ランダムアクセスチャネル（ＰＲＡＣＨ）は、ＰＲＡＣＨ構成に基づいてフレーム内の１つまたは複数のサブフレーム内にあり得る。ＰＲＡＣＨは、サブフレーム内に６つの連続したＲＢペアを含み得る。ＰＲＡＣＨは、ＵＥが初期システムアクセスを遂行し、ＵＬ同期を達成することを可能にする。物理アップリンク制御チャネル（ＰＵＣＣＨ）は、ＵＬシステム帯域幅のエッジ上に位置付けられ得る。ＰＵＣＣＨは、スケジューリング要求、チャネル品質インジケータ（ＣＱＩ）、プリコーディング行列インジケータ（ＰＭＩ）、ランクインジケータ（ＲＩ）、およびＨＡＲＱ ＡＣＫ／ＮＡＣＫフィードバックのようなアップリンク制御情報（ＵＣＩ）を搬送する。ＰＵＳＣＨは、データを搬送し、バッファステータスレポート（ＢＳＲ）、電力ヘッドルームレポート（ＰＨＲ）、および／またはＵＣＩを搬送するためにさらに使用され得る。
【００３４】
[0043]  図３は、アクセスネットワーク中でＵＥ３５０と通信状態にあるｅＮＢ３１０のブロック図である。ＤＬでは、ＥＰＣ１６０からのＩＰパケットは、コントローラ／プロセッサ３７５に提供され得る。コントローラ／プロセッサ３７５は、レイヤ３およびレイヤ２の機能を実装する。レイヤ３は、無線リソース制御（ＲＲＣ）レイヤを含み、レイヤ２は、パケットデータコンバージェンスプロトコル（ＰＤＣＰ）レイヤ、無線リンク制御（ＲＬＣ）レイヤ、および媒体アクセス制御（ＭＡＣ）レイヤを含む。コントローラ／プロセッサ３７５は、システム情報（例えば、ＭＩＢ、ＳＩＢ）のブロードキャスティング、ＲＲＣ接続制御（例えば、ＲＲＣ接続ページング、ＲＲＣ接続確立、ＲＲＣ接続修正、およびＲＲＣ接続解放）、無線アクセス技術（ＲＡＴ）間モビリティ、およびＵＥ測定レポーティングのための測定設定に関連付けられたＲＲＣレイヤ機能と、ヘッダ圧縮／解凍、セキュリティ（暗号化、暗号解読、完全性保護、完全性検証）、およびハンドオーバサポート機能に関連付けられたＰＤＣＰレイヤ機能と、上位レイヤパケットデータユニット（ＰＤＵ）の転送、ＡＲＱを通じた誤り訂正、ＲＬＣサービスデータユニット（ＳＤＵ）の連結、セグメント化、およびリアセンブリ、ＲＬＣデータＰＤＵの再セグメント化、およびＲＬＣデータＰＤＵの再順序付けに関連付けられたＲＬＣレイヤ機能と、論理チャネルとトランスポートチャネルとの間でのマッピング、トランスポートブロック（ＴＢ）上へのＭＡＣ ＳＤＵの多重化、ＴＢからのＭＡＣ ＳＤＵの逆多重化、スケジューリング情報レポーティング、ＨＡＲＱを通じた誤り訂正、優先度処理（priority handling）、および論理チャネル優先順位付けに関連付けられたＭＡＣレイヤ機能とを提供する。
【００３５】
[0044]  送信（ＴＸ）プロセッサ３１６および受信（ＲＸ）プロセッサ３７０は、様々な信号処理機能に関連付けられたレイヤ１の機能を実装する。物理（ＰＨＹ）レイヤを含むレイヤ１は、トランスポートチャネル上での誤り検出、トランスポートチャネルの前方誤り訂正（ＦＥＣ）コーディング／復号、インタリービング、レートマッチング、物理チャネル上へのマッピング、物理チャネルの変調／復調、およびＭＩＭＯアンテナ処理を含み得る。ＴＸプロセッサ３１６は、様々な変調スキーム（例えば、２位相偏移変調（ＢＰＳＫ）、４位相偏移変調（ＱＰＳＫ）、Ｍ位相偏移変調（Ｍ−ＰＳＫ）、Ｍ値直交振幅変調（Ｍ−ＱＡＭ））に基づく信号コンステレーションへのマッピングを処理する。コーディングおよび変調されたシンボルはその後、並列ストリームに分けられ得る。各ストリームはその後、時間ドメインＯＦＤＭシンボルストリームを搬送する物理チャネルを生成するために、ＯＦＤＭサブキャリアにマッピングされ、時間および／または周波数ドメイン中で基準信号（例えば、パイロット）と多重化され、その後、逆高速フーリエ変換（ＩＦＦＴ）を使用してともに組み合わされ得る。ＯＦＤＭストリームは、複数の空間ストリームを生成するために空間的にプリコーディングされる。チャネル推定器３７４からのチャネル推定値が、コード化および変調スキームを決定するために、ならびに空間処理のために、使用され得る。チャネル推定値は、ＵＥ３５０によって送信されたチャネル状態フィードバックおよび／または基準信号から導出され得る。その後、各空間ストリームは、別個の送信機３１８ＴＸを介して異なるアンテナ３２０に提供され得る。各送信機３１８ＴＸは、送信のためにそれぞれの空間ストリームを用いてＲＦキャリアを変調し得る。
【００３６】
[0045]  ＵＥ３５０において、各受信機３５４ＲＸは、そのそれぞれのアンテナ３５２を通じて信号を受信する。各受信機３５４ＲＸは、ＲＦキャリア上に変調された情報を復元し、受信（ＲＸ）プロセッサ３５６にその情報を提供する。ＴＸプロセッサ３６８およびＲＸプロセッサ３５６は、様々な信号処理機能に関連付けられたレイヤ１の機能を実装する。ＲＸプロセッサ３５６は、ＵＥ３５０宛ての任意の空間ストリームを復元するために、この情報に対して空間処理を行い得る。複数の空間ストリームがＵＥ３５０宛てである場合、それらは、ＲＸプロセッサ３５６によって単一のＯＦＤＭシンボルストリームに組み合わされ得る。ＲＸプロセッサ３５６はその後、高速フーリエ変換（ＦＦＴ）を使用して、時間ドメインから周波数ドメインにＯＦＤＭシンボルストリームを変換する。周波数領域信号は、ＯＦＤＭ信号の各サブキャリアのために別個のＯＦＤＭシンボルストリームを備える。各サブキャリア上のシンボル、および基準信号は、ｅＮＢ３１０によって送信された最も有望な（most likely）信号コンステレーションポイントを決定することによって復元および復調される。これらの軟判定は、チャネル推定器３５８によって計算されたチャネル推定値に基づき得る。軟判定はその後、物理チャネル上でｅＮＢ３１０によって当初送信されたデータおよび制御信号を復元するために復号およびデインターリーブされる。データおよび制御信号はその後、コントローラ／プロセッサ３５９に提供され、それは、レイヤ３およびレイヤ２の機能を実装する。
【００３７】
[0046]  コントローラ／プロセッサ３５９は、プログラムコードおよびデータを記憶するメモリ３６０に関連付けられ得る。メモリ３６０は、コンピュータ可読媒体と呼ばれ得る。ＵＬでは、コントローラ／プロセッサ３５９は、ＥＰＣ１６０からのＩＰパケットを復元するために、トランスポートチャネルと論理チャネルとの間での逆多重化、パケットのリアセンブリ、暗号解読、ヘッダの解凍、および制御信号処理を提供する。コントローラ／プロセッサ３５９はまた、ＨＡＲＱ動作をサポートするために、ＡＣＫおよび／またはＮＡＣＫプロトコルを使用する誤り検出を担う。
【００３８】
[0047]  ｅＮＢ３１０によるＤＬ送信に関連して説明される機能と同様に、コントローラ／プロセッサ３５９は、システム情報（例えば、ＭＩＢ、ＳＩＢ）獲得、ＲＲＣ接続、および測定レポーティングに関連付けられたＲＲＣレイヤ機能と、ヘッダ圧縮／解凍、およびセキュリティ（暗号化、暗号解読、完全性保護、完全性検証）に関連付けられたＰＤＣＰレイヤ機能と、上位レイヤＰＤＵの転送、ＡＲＱを通じた誤り訂正、ＲＬＣ ＳＤＵの連結、セグメント化、およびリアセンブリ、ＲＬＣデータＰＤＵの再セグメント化、およびＲＬＣデータＰＤＵの再順序付けに関連付けられたＲＬＣレイヤ機能と、論理チャネルとトランスポートチャネルとの間でのマッピング、ＴＢ上へのＭＡＣ ＳＤＵの多重化、ＴＢからのＭＡＣ ＳＤＵの逆多重化、スケジューリング情報レポーティング、ＨＡＲＱを通じた誤り訂正、優先度処理、および論理チャネル優先順位付けに関連付けられたＭＡＣレイヤ機能とを提供する。
【００３９】
[0048]  ｅＮＢ３１０によって送信されたフィードバックまたは基準信号からチャネル推定器３５８によって導出されたチャネル推定値は、適切なコーディングおよび変調スキームを選択することと、空間処理を容易にすることとを行うために、ＴＸプロセッサ３６８によって使用され得る。ＴＸプロセッサ３６８によって生成された空間ストリームは、別個の送信機３５４ＴＸを介して異なるアンテナ３５２に提供され得る。各送信機３５４ＴＸは、送信のためにそれぞれの空間ストリームを用いてＲＦキャリアを変調し得る。
【００４０】
[0049]  ＵＬ送信は、ＵＥ３５０における受信機機能に関連して説明されるのと同様の方法でｅＮＢ３１０において処理される。各受信機３１８ＲＸは、そのそれぞれのアンテナ３２０を通じて信号を受信する。各受信機３１８ＲＸは、ＲＦキャリア上に変調された情報を復元し、ＲＸプロセッサ３７０にその情報を提供する。
【００４１】
[0050]  コントローラ／プロセッサ３７５は、プログラムコードおよびデータを記憶するメモリ３７６に関連付けられ得る。メモリ３７６は、コンピュータ可読媒体と呼ばれ得る。ＵＬでは、コントローラ／プロセッサ３７５は、ＵＥ３５０からのＩＰパケットを復元するために、トランスポートチャネルと論理チャネルとの間での逆多重化、パケットのリアセンブリ、暗号解読、ヘッダの解凍、制御信号処理を提供する。コントローラ／プロセッサ３７５からのＩＰパケットは、ＥＰＣ１６０に提供され得る。コントローラ／プロセッサ３７５はまた、ＨＡＲＱ動作をサポートするために、ＡＣＫおよび／またはＮＡＣＫプロトコルを使用する誤り検出を担う。
【００４２】
[0051]  図４は、デバイス・ツー・デバイス（Ｄ２Ｄ）通信システム４６０の図である。Ｄ２Ｄ通信システム４６０は、複数のＵＥ４６４、４６６、４６８、４７０を含む。Ｄ２Ｄ通信システム４６０は、例えば、ＷＷＡＮのようなセルラ通信システムとオーバーラップし得る。ＵＥ４６４、４６６、４６８、４７０のうちのいくつかは、ＤＬ／ＵＬ ＷＷＡＮスペクトルを使用してＤ２Ｄ通信でともに通信し得、いくつかは、基地局４６２と通信し得、いくつかは、それら両方を行い得る。例えば、図４中に示されているように、ＵＥ４６８、４７０がＤ２Ｄ通信中であり、ＵＥ４６４、４６６がＤ２Ｄ通信中である。ＵＥ４６４、４６６はまた、基地局４６２と通信している。Ｄ２Ｄ通信は、物理サイドリンクブロードキャストチャネル（ＰＳＢＣＨ）、物理サイドリンク発見チャネル（ＰＳＤＣＨ）、物理サイドリンク共有チャネル（ＰＳＳＣＨ）、および物理サイドリンク制御チャネル（ＰＳＣＣＨ）のような１つまたは複数のサイドリンクチャネルを通り得る。
【００４３】
[0052]  １つの構成では、ＵＥ ４６４、４６６、４６８、４７０のうちのいくつかまたは全ては、車両に装備または位置付けられ得る。このような構成では、Ｄ２Ｄ通信システム４６０は、車車間（Ｖ２Ｖ：vehicle-to-vehicle）通信システムとも呼ばれ得る。
【００４４】
[0053]  以下に説明される例示的な方法および装置は、例えば、ＦｌａｓｈＬｉｎＱ、ＷｉＭｅｄｉａ、Ｂｌｕｅｔｏｏｔｈ（登録商標）、ＺｉｇＢｅｅ、またはＩＥＥＥ８０２. １１規格に基づいたＷｉ−Ｆｉに基づいたワイヤレス・デバイス・ツー・デバイス通信システムのような、様々なワイヤレスＤ２Ｄ通信システムのいずれにも適用可能である。説明を簡略化するために、例示的な方法および装置は、ＬＴＥのコンテキスト内で論述される。しかしながら、当業者は、例示的な方法および装置が、様々な他のワイヤレス・デバイスツーデバイス通信システムに対してより一般に適用可能であることを理解するだろう。
【００４５】
[0054]  従来のデバイス・ツー・デバイス通信システムでは、あるＵＥがデバイス・ツー・デバイス通信において別のＵＥと通信するときに、送信されるべきデータおよびそのデータを送信するための制御情報は、別個のサブフレーム中で搬送される。例えば、送信側ＵＥは、データを搬送するサブフレームを送る前に、制御情報を搬送するサブフレームを送り得る。受信側ＵＥでは、データを送信するための制御情報は、制御情報を搬送するサブフレームから復号され得る。復号された制御情報は、データを搬送するサブフレームからデータを検索するために使用され得る。制御情報およびデータが別個のサブフレーム中で搬送されるため、制御情報を送信するためのオーバヘッドが負担となり得る。
【００４６】
[0055]  本開示の１つの構成では、制御情報およびデータは、制御オーバヘッドを低減するために、同じサブフレーム中で搬送される。図５は、デバイス・ツー・デバイス通信システム５００において同じサブフレーム中で制御情報およびデータを搬送する例を図示する図である。デバイス・ツー・デバイス通信システム５００は、ＵＥ５０２、５０４、および５０６を含む。ＵＥ５０２は、それぞれ、デバイス・ツー・デバイス通信チャネル５１０および５２０を通して、ＵＥ５０４および５０６と通信し得る。１つの構成では、デバイス・ツー・デバイス通信チャネル５１０および５２０は、ＬＴＥダイレクトプロトコルを用いる。
【００４７】
[0056]  ＵＥ５０４にデータを送信するために、ＵＥ５０２は、ＵＥ５０４にデータを搬送するためにサブフレーム５３０中にリソースブロック５１２を（５５０において）割り当て、ＵＥ５０４に制御情報を搬送するためにサブフレーム５３０中にリソースブロック５１３を（５５０において）割り当て得る。制御情報は、データ送信に関連したスケジューリング割り当てを含み得る。スケジューリング割り当ては、データリソース割り当てを含み得る。例えば、１つの構成では、リソースブロック５１３上で搬送される制御情報は、リソースブロック５１２の割り振りを示し得る。リソースブロック５１２と５１３とは、サブフレーム５３０中で互いに隣接し得るか、または互いに隣接しない可能性がある。リソースブロック５１３は、リソースブロック５１２に囲まれ得る。同様に、ＵＥ５０２は、ＵＥ５０４にデータを搬送するために、それぞれ、サブフレーム５３４および５３８中にリソースブロック５１４および５１６を（５５０において）割り当て、対応するサブフレーム中のデータをＵＥ５０４に送信することに関連した制御情報を搬送するために、それぞれ、サブフレーム５３４および５３８中にリソースブロック５１５および５１７を（５５０において）割り当て得る。
【００４８】
[0057]  ＵＥ５０６にデータを送信するために、ＵＥ５０２は、ＵＥ５０６にデータを搬送するためにサブフレーム５３０中のリソースブロック５２２を（５５０において）割り当て、ＵＥ５０６にサブフレーム５３０中のデータを送信することに関連した制御情報を搬送するためにサブフレーム５３０中のリソースブロック５２３を（５５０において）割り当て得る。１つの構成では、リソースブロック５２３上で搬送される制御情報は、リソースブロック５２２の割り振りを示し得る。同様に、ＵＥ５０２は、ＵＥ５０６にデータを搬送するために、それぞれ、サブフレーム５３４および５３８中にリソースブロック５２４および５２６を（５５０において）割り当て、対応するサブフレーム中のデータをＵＥ５０６に送信することに関連した制御情報を搬送するために、それぞれ、サブフレーム５３４および５３８中にリソースブロック５２５および５２７を（５５０において）割り当て得る。
【００４９】
[0058]  １つの構成では、ＵＥ５０２は、デバイス・ツー・デバイス通信チャネル５１０を通して、サブフレーム５３０中の制御情報およびデータをＵＥ５０４に送り得る。ＵＥ５０４は、サブフレーム５３０中のデータ送信のためのリソースブロック割り振りを認識していない。しかしながら、ＵＥ５０４は、サブフレーム５２０中の制御情報送信のためのリソースブロック割り振り（例えば、リソースブロック５１３）を認識し得る。ＵＥ５０４において、サブフレーム５３０内のデータを送信するための制御情報は、リソースブロック５１３から復号され得る。制御情報は、サブフレーム５３０中のデータ送信のためのリソースブロック割り振り（例えば、リソースブロック５１２の開始位置（location）およびサイズ）を含み得る。復号された制御情報は、サブフレーム５３０中のリソースブロック５１２からデータを検索するために使用され得る。
【００５０】
[0059]  図６は、デバイス・ツー・デバイス通信におけるデータおよび制御情報の両方を搬送するサブフレーム６００の例を図示する図である。図示されるように、データは、サブフレーム６００中のリソースブロック６１０、６１２、および６１４で搬送される。制御情報は、サブフレーム６００中の制御シンボル６２０で搬送される。１つの構成では、制御シンボル６２０は、サブフレーム６００内の固定されたシンボルである。このような構成では、デバイス・ツー・デバイス通信の受信側ＵＥは、サブフレーム６００内のどのシンボルが制御情報（例えば、制御シンボル６２０）を搬送するために使用されるかを知り得る。制御情報は、固定された帯域幅を使用し得る。よって、制御情報は、制御シンボル６２０の固定された数のリソースエレメント６２２上で搬送され得る。例えば制御情報は、制御シンボル６２０の２つのリソースエレメント上で搬送され得る。その結果、受信側ＵＥは、制御シンボル６２０の第１の２つのリソースエレメントから制御情報を検索し、検索した制御情報を復号し得る。制御シンボル６２０の残りのリソースエレメント６２４は、使用されない可能性がある。制御シンボル６２０中の送信側ＵＥからの多重化されたデータまたは他の情報は存在しない。
【００５１】
[0060]  １つの構成では、制御シンボル６２０上で搬送される制御情報は、データを搬送するためのリソースブロックの割り振りを示し得る。例えば、制御情報は、サブフレーム６００内のリソースブロック６１０、６１２、および６１４のサイズと開始位置とを示し得る。１つの構成では、制御情報は、リソースブロック６１０、６１２、および６１４のサイズのみを示し得る。リソースブロック６１０、６１２、および６１４の開始位置は、制御シンボル６２０の開始位置および／またはリソースブロック６１０、６１２、６１４のサイズに基づいて決定され得る。
【００５２】
[0061]  １つの構成では、制御シンボル６２０は、ＤＭ−ＲＳシンボル６３０に隣接する。受信側ＵＥは、制御シンボル６２０から制御情報を検索および復号する前に、デバイス・ツー・デバイス通信チャネルの信号品質を測定するために、ＤＭ−ＲＳシンボル６３０を使用し得る。デバイス・ツー・デバイス通信チャネルの信号品質が閾値品質を超えるとき、受信側ＵＥは、制御シンボル６２０から制御情報を検索および復号することのみ行い得る。１つの構成では、制御情報を最初に取得することなく受信側ＵＥが基準信号を測定し得るように、ＤＭ−ＲＳシンボル６３０は、固定されたベースシーケンス、サイクリックシフト、および直交カバーコード（ＯＣＣ）を有する、固定された基準信号を使用する。
【００５３】
[0062]  サブフレーム６００中に別のＤＭ−ＲＳシンボル６３２が存在し得る。ＤＭ−ＲＳシンボル６３２は、制御シンボル６２０に隣接せず、制御情報に依存するパラメータ（例えば、ベースシーケンス、サイクリックシフト、およびＯＣＣ）を有する基準信号を使用し得る。従って、受信側ＵＥは、ＤＭ−ＲＳシンボル６３２を処理する前に、制御シンボル６２０から制御情報を取得し得る。
【００５４】
[0063]  １つの構成では、データの任意の再送信に基づいて復号可能な制御情報を作成するために、制御情報は、データの送信数、現在のデータ送信の冗長バージョン識別子（ＲＶＩＤ）、データの変調およびコーディングスキーム（ＭＣＳ）、送信の時間リソースパターン（ＴＲＰＴ）、または後続の再送信の周波数情報のうちの１つまたは複数を含み得る。１つの構成では、制御情報は、ＴＲＰＴの代わりに、データの次の再送信の増分スケジューリングを含み得る。例えば、制御情報は、データの次の再送信が３つのサブフレーム中で発生することをシグナリングし得る。ＴＲＰＴは、増分値が２〜３ビットのみを使用し得る間、７ビットを使用し得るため、制御オーバヘッドは、さらに低減され得る。１つの構成では、制御情報は、データパケットの第１の送信においてのみ存在し得、同じデータの後続の再送信は、制御情報を搬送しない。
【００５５】
[0064]  図７は、ワイヤレス通信の方法のフローチャート７００である。方法は、デバイス・ツー・デバイス通信における送信側ＵＥ（例えば、ＵＥ５０２、または装置９０２／９０２’）によって行われ得る。１つの構成では、方法は、送信側ＵＥが受信側ＵＥ（例えば、ＵＥ５０４）とデバイス・ツー・デバイス通信を開始するときに行われ得る。送信側ＵＥは、第１のＵＥであり得、受信側ＵＥは、第２のＵＥであり得る。７０２において、第１のＵＥは、第２のＵＥに送信されるべきデータブロックを決定する。データブロックは、第１のＵＥによって生成され得るか、または別のデバイスから受信され得る。
【００５６】
[0065]  ７０４において、第１のＵＥは、データブロックを搬送するためにサブフレーム中の第１のリソースを決定し、データブロックを送信することに関連付けられた制御情報を搬送するためにサブフレーム中の第２のリソースを決定する。１つの構成では、第１のリソースは、図５を参照して上述されるリソースブロック５１２であり得るか、または図６を参照して上述されるリソースブロック６１０、６１２、および６１４であり得る。このような構成では、第２のリソースは、図５を参照して上述されるリソースブロック５１３であり得るか、または図６を参照して上述される制御シンボル６２０のリソースエレメント６２２であり得る。
【００５７】
[0066]  １つの構成では、第２のリソースは、サブフレーム内の固定された制御シンボルの少なくとも一部分を含み得る。１つの構成では、制御シンボル内の多重化されたデータは存在しない可能性がある。１つの構成では、制御シンボルは、いくつかのリソースエレメントを含み得る。第２のリソースは、いくつかのリソースエレメントからの固定された数のリソースエレメントを含み得る。
【００５８】
[0067]  １つの構成では、制御情報は、第１のリソースの割り振りを含み得る。１つの構成では、第１のリソースの割り振りは、第１のリソースのサイズおよび第１のリソースの開始を含み得る。別の構成では、第１のリソースの割り振りは、第１のリソースのサイズを含み得、第１のリソースの開始は、第１のリソースの制御シンボルの開始またはサイズに基づいて決定され得る。
【００５９】
[0068]  １つの構成では、制御シンボルは、ＤＭ−ＲＳシンボルに隣接し得る。ＤＭ−ＲＳシンボルは、固定されたベースシーケンス、サイクリックシフト、およびＯＣＣを有する、固定された基準信号を使用し得る。１つの構成では、制御シンボルに隣接しないＤＭ−ＲＳシンボルは、制御情報に依存するパラメータを有する基準信号を使用し得る。１つの構成では、制御情報は、データブロックの送信数、現在のデータ送信のＲＶＩＤ、データブロックのＭＣＳ、ＴＲＰＴ、または後続の再送信の周波数情報のうちの１つまたは複数を含み得る。１つの構成では、制御情報は、ＴＲＰＴの代わりに、データブロックの次の再送信の増分スケジューリングを含み得る。１つの構成では、制御情報は、データブロックの第１の送信においてのみ存在し得、データブロックの後続の再送信は、制御情報を搬送しない可能性がある。
【００６０】
[0069]  最後に、７０６において、第１のＵＥは、それぞれ、決定された第１および第２のリソース上で、デバイス・ツー・デバイス通信チャネルにおいて第２のＵＥにデータブロックおよび制御情報を送信する。例えば、ＵＥ５０２は、リソースブロック５１２および５１３上で、それぞれ、デバイス・ツー・デバイス通信チャネル５１０においてＵＥ５０４にデータおよび制御情報を送信し得る。
【００６１】
[0070]  １つの構成では、データブロックおよび制御情報は、車両通信ブロードキャストメッセージを通して第２のＵＥに送信される。１つの構成では、デバイス・ツー・デバイス通信チャネルは、ＬＴＥダイレクトプロトコルを用いる。
【００６２】
[0071]  図８は、ワイヤレス通信の方法のフローチャート８００である。方法は、デバイス・ツー・デバイス通信における受信側ＵＥ（例えば、ＵＥ５０４、５０６、または装置９０２／９０２’）によって行われ得る。１つの構成では、方法は、受信側ＵＥが送信側ＵＥ（例えば、ＵＥ５０２）からのデバイス・ツー・デバイス通信を受信するときに、行われ得る。受信側ＵＥは、第１のＵＥであり得、送信側ＵＥは、第２のＵＥであり得る。
【００６３】
[0072]  ８０２において、第１のＵＥは、データブロックを搬送するサブフレーム中の１つまたは複数のデータリソースと、データブロックを送信するための制御情報を搬送するサブフレーム中の予め定められた制御リソースとを有する、第２のＵＥからのデバイス・ツー・デバイス通信チャネルを受信する。１つの構成では、デバイス・ツー・デバイス通信チャネルは、図５に関連して上述されるデバイス・ツー・デバイス通信チャネル５１０であり得る。１つの構成では、１つまたは複数のデータリソースは、図５に関連して上述されるリソースブロック５１２であり得るか、または図６に関連して上述されるリソースブロック６１０、６１２、および６１４であり得る。このような構成では、予め定められた制御リソースは、図５に関連して上述されるリソースブロック５１３であり得るか、または図６に関連して上述される制御シンボル６２０のリソースエレメント６２２であり得る。
【００６４】
[0073]  １つの構成では、データブロックおよび制御情報は、車両通信ブロードキャストメッセージを通して受信され得る。１つの構成では、デバイス・ツー・デバイス通信チャネルは、ＬＴＥダイレクトプロトコルを用い得る。
【００６５】
[0074]  １つの構成では、予め定められた制御リソースは、サブフレーム内の固定された制御シンボルの少なくとも一部分を含み得る。制御情報を復号するために、第１のＵＥは、固定された制御シンボルから制御情報を検索し得る。１つの構成では、制御シンボルは、いくつかのリソースエレメントを含み得、予め定められた制御リソースは、いくつかのリソースエレメントからの固定された数のリソースエレメントを含み得る。１つの構成では、制御情報は、データブロックを搬送する１つまたは複数のデータリソースの割り振りを含み得る。１つの構成では、割り振りは、１つまたは複数のデータリソースのサイズおよび開始を含み得る。別の構成では、割り振りは、１つまたは複数のデータリソースのサイズを含み得、１つまたは複数のデータリソースの開始は、１つまたは複数のデータリソースの制御シンボルの開始またはサイズに基づいて決定され得る。
【００６６】
[0075]  １つの構成では、制御シンボルは、ＤＭ−ＲＳシンボルに隣接し得る。１つの構成では、ＤＭ−ＲＳシンボルは、固定されたベースシーケンス、サイクリックシフト、およびＯＣＣを有する、固定された基準信号を使用し得る。１つの構成では、制御シンボルに隣接しないＤＭ−ＲＳシンボルは、制御情報に依存するパラメータを有する基準信号を使用し得る。
【００６７】
[0076]  １つの構成では、制御情報は、データブロックの送信数、現在のデータ送信のＲＶＩＤ、データブロックのＭＣＳ、ＴＲＰＴ、または後続の再送信の周波数情報のうちの１つまたは複数を含み得る。１つの構成では、制御情報は、ＴＲＰＴの代わりに、データブロックの次の再送信の増分スケジューリングを含み得る。
【００６８】
[0077]  ８０４において、第１のＵＥは、サブフレーム中の予め定められた制御リソースから制御情報を復号する。例えば、ＵＥ５０４は、サブフレーム５３０中のリソースブロック５１３から制御情報を検索および復号し得る。制御情報を復号するために、第１のＵＥは、予め定められた制御リソースによって搬送されるビットの異なるグループを識別し得、ビットの各グループを、データ送信のためにリソース割り振りに関連したパラメータに変え得る。例えば、パラメータは、データリソースブロックの開始位置および／またはサイズであり得る。
【００６９】
[0078]  最後に、８０６において、第１のＵＥは、復号された制御情報に基づいて、サブフレーム中の１つまたは複数のデータリソースからデータブロックを検索する。例えば、ＵＥ５０４は、復号された制御情報（例えば、リソースブロック５１２の開始位置およびサイズ）に基づいて、サブフレーム５３０中のリソースブロック５１２からデータを検索し得る。
【００７０】
[0079]  図９は、例示的な装置９０２における異なるモジュール／手段／コンポーネント間のデータフローを図示する概念的データフロー図９００である。装置９０２は、ＵＥであり得る。装置９０２は、別のＵＥ９５０からデバイス・ツー・デバイス通信メッセージを受信する受信コンポーネント９０４を含む。１つの構成では、受信コンポーネント９０４は、図８の８０２において上述される動作を行う。装置９０２はまた、ＵＥ９５０にデバイス・ツー・デバイス通信メッセージを送信する送信コンポーネント９１０も含む。１つの構成では、送信コンポーネント９１０は、図７の７０６において上述される動作を行う。１つの構成では、デバイス・ツー・デバイス通信メッセージは、車両通信ブロードキャストメッセージであり得る。受信コンポーネント９０４および送信コンポーネント９１０は、装置９０２の通信を調整する。
【００７１】
[0080]  装置９０２は、ＵＥ９５０に送信されるべきデータを決定するデータ準備コンポーネント９１４を含む。データ準備コンポーネント９１４によって準備されたデータは、送信コンポーネント９１０に送られる。１つの構成では、データ準備コンポーネント９１４は、図７の７０２において上述される動作を行う。
【００７２】
[0081]  装置９０２は、データおよび制御情報を送信するためのリソースを割り当てるリソース割り振りコンポーネント９１２を含む。リソース割り振りコンポーネント９１２によって決定されたリソース割り当ては、送信コンポーネント９１０に送られ得る。１つの構成では、リソース割り振りコンポーネント９１２は、図７の７０４において上述される動作を行う。送信コンポーネント９１０は、リソース割り振りコンポーネント９１２によって決定されたリソース割り当てに基づいて、データ準備コンポーネント９１４によって準備されたデータをＵＥ９５０に送信する。
【００７３】
[0082]  装置９０２は、受信コンポーネント９０４によって提供されたサブフレーム中の固定された制御シンボルから制御情報を検索および復号する、制御情報復号コンポーネント９０６を含む。復号された制御情報は、データ検索コンポーネント９０８に送られる。１つの構成では、制御情報復号コンポーネント９０６は、図８の８０４において上述される動作を行う。データ検索コンポーネント９０８は、制御情報復号コンポーネント９０６によって提供された制御情報に基づいて、サブフレーム中のリソースからデータを検索する。１つの構成では、データ検索コンポーネント９０８は、図８の８０６において上述される動作を行う。
【００７４】
[0083]  装置は、図７および８の前述されたフローチャート中のアルゴリズムのブロックの各々を実行する追加のコンポーネントを含み得る。そのため、図７および８の前述されたフローチャート中の各ブロックは、コンポーネントによって実行され得、装置は、それらのコンポーネントのうちの１つまたは複数を含み得る。コンポーネントは、記載された処理／アルゴリズムを実行するように特に構成された１つまたは複数のハードウェアコンポーネントであり得るか、記載された処理／アルゴリズムを行うように構成されたプロセッサによって実装され得るか、プロセッサによる実装のためにコンピュータ可読媒体内に記憶され得るか、またはそれらの何らかの組み合わせであり得る。
【００７５】
[0084]  図１０は、処理システム１０１４を用いる装置９０２’のためのハードウェア実装の例を図示する図１０００である。処理システム１０１４は、一般にバス１０２４によって表される、バスアーキテクチャを用いて実装され得る。バス１０２４は、処理システム１０１４の特定のアプリケーションおよび全体的な設計制約に依存して、任意の数の相互接続バスおよびブリッジを含み得る。バス１０２４は、プロセッサ１００４、コンポーネント９０４、９０６、９０８、９１０、９１２、９１４、およびコンピュータ可読媒体／メモリ１００６によって表される、１つまたは複数のプロセッサおよび／またはハードウェアコンポーネントを含む様々な回路をともにリンクさせる。バス１０２４はまた、タイミングソース、周辺機器、電圧レギュレータ、および電力管理回路などの様々な他の回路をリンクさせることができ、これらは、当該技術分野において周知であり、従って、これ以上は説明されない。
【００７６】
[0085]  処理システム１０１４は、トランシーバ１０１０に結合され得る。トランシーバ１０１０は、１つまたは複数のアンテナ１０２０に結合される。トランシーバ１０１０は、送信媒体を介して様々な他の装置と通信するための手段を提供する。トランシーバ１０１０は、１つまたは複数のアンテナ１０２０から信号を受信し、受信された信号から情報を抽出し、抽出された情報を処理システム１０１４、具体的には受信コンポーネント９０４に提供する。加えて、トランシーバ１０１０は、処理システム１０１４、具体的には送信コンポーネント９１０から情報を受信し、受信された情報に基づいて、１つまたは複数のアンテナ１０２０に適用される信号を生成する。処理システム１０１４は、コンピュータ可読媒体／メモリ１００６に結合されたプロセッサ１００４を含む。プロセッサ１００４は、コンピュータ可読媒体／メモリ１００６上に記憶されたソフトウェアの実行を含む、一般的な処理を担う。ソフトウェアは、プロセッサ１００４によって実行されるとき、処理システム１０１４に、任意の特定の装置に関して上記に説明された様々な機能を実行させる。コンピュータ可読媒体／メモリ１００６はまた、ソフトウェアを実行するとき、プロセッサ１００４によって操作されるデータを記憶するために使用され得る。処理システムはさらに、コンポーネント９０４、９０６、９０８、９１０、９１２および９１４のうちの少なくとも１つを含む。コンポーネントは、プロセッサ１００４中で実行中であり、コンピュータ可読媒体／メモリ１００６中に存在する／記憶されたソフトウェアコンポーネント、プロセッサ１００４に結合された１つまたは複数のハードウェアコンポーネント、またはそれらの何らかの組み合わせであり得る。処理システム１０１４は、ＵＥ３５０のコンポーネントであり得、メモリ３６０および／またはＴＸプロセッサ３６８、ＲＸプロセッサ３５６、およびコントローラ／プロセッサ３５９のうちの少なくとも１つを含み得る。
【００７７】
[0086]  １つの構成では、ワイヤレス通信のための装置９０２／９０２’は、別のＵＥに送信されるべきデータブロックを決定するための手段を含む。１つの構成では、データブロックを決定するための手段は、図７の７０２に関連して上述される動作を行い得る。１つの構成では、データブロックを決定するための手段は、データ準備コンポーネント９１４またはプロセッサ１００４であり得る。
【００７８】
[0087]  装置９０２／９０２’は、データブロックを搬送するためのサブフレーム中の第１のリソースと、データブロックを送信することに関連付けられた制御情報を搬送するためのサブフレーム中の第２のリソースとを決定するための手段を含み得る。１つの構成では、第１および第２のリソースを決定するための手段は、図７の７０４に関連して上述される動作を行い得る。１つの構成では、第１および第２のリソースを決定するための手段は、リソース割り振りコンポーネント９１２またはプロセッサ１００４であり得る。
【００７９】
[0088]  装置９０２／９０２’は、それぞれ、決定された第１および第２のリソース上で、デバイス・ツー・デバイス通信チャネルにおいて別のＵＥにデータブロックおよび制御情報を送信するための手段をさらに含み得る。１つの構成では、送信するための手段は、図７の７０６に関連して上述される動作を行い得る。１つの構成では、送信するための手段は、１つまたは複数のアンテナ１０２０、トランシーバ１０１０、送信コンポーネント９１０、またはプロセッサ１００４であり得る。
【００８０】
[0089]  １つの構成では、ワイヤレス通信のための装置９０２／９０２’は、データブロックを搬送するサブフレーム中の１つまたは複数のデータリソースと、データブロックを送信するための制御情報を搬送するサブフレーム中の予め定められた制御リソースとを有する、別のＵＥからのデバイス・ツー・デバイス通信チャネルを受信するための手段を含む。１つの構成では、受信するための手段は、図８の８０２に関連して上述される動作を行い得る。１つの構成では、受信するための手段は、１つまたは複数のアンテナ１０２０、トランシーバ１０１０、受信コンポーネント９０４、またはプロセッサ１００４であり得る。
【００８１】
[0090]  装置９０２／９０２’は、サブフレーム中の予め定められた制御リソースから制御情報を復号するための手段を含み得る。１つの構成では、復号するための手段は、サブフレーム中の予め定められた制御リソースから制御情報を検索するように構成され得る。１つの構成では、復号するための手段は、図８の８０４を参照して上述される動作を行い得る。１つの構成では、復号するための手段は、制御情報復号コンポーネント９０６またはプロセッサ１００４であり得る。
【００８２】
[0091]  装置９０２／９０２’は、復号された制御情報に基づいて、サブフレーム中の１つまたは複数のデータリソースからデータブロックを検索するための手段をさらに含み得る。１つの構成では、検索するための手段は、図８の８０６に関連して上述される動作を行い得る。１つの構成では、検索するための手段は、データ検索コンポーネント９０８またはプロセッサ１００４であり得る。
【００８３】
[0092]  前述された手段は、前述された手段によって記載された機能を実行するように構成された装置９０２’の処理システム１０１４および／または装置９０２の前述されたコンポーネントのうちの１つまたは複数であり得る。上記に説明されたように、処理システム１０１４は、ＴＸプロセッサ３６８、ＲＸプロセッサ３５６、およびコントローラ／プロセッサ３５９を含み得る。このように、１つの構成では、前述の手段は、前述の手段によって記載された機能を実行するように構成されたＴＸプロセッサ３６８、ＲＸプロセッサ３５６、およびコントローラ／プロセッサ３５９であり得る。
【００８４】
[0093]  開示された処理／フローチャート中のブロックの特定の順序または階層は、例示的なアプローチの例示であることが理解される。設計の選好に基づいて、処理／フローチャート中のブロックの特定の順序または階層は再配列され得るということが理解される。さらに、いくつかのブロックは、組み合わされ得るか、または省略され得る。添付の方法の請求項は、サンプルの順序で様々なブロックの要素を提示しており、提示された特定の順序または階層に限定されることが意図されるものではない。
【００８５】
[0094]  先の説明は、本明細書で説明される様々な態様を当業者が実施することを可能にするために提供される。これらの態様への様々な修正は、当業者に対して容易に明らかであり、本明細書に定義される一般的な原理は、他の態様に適用され得る。よって、請求項は、本明細書に示される態様に限定されることが意図されるものではなく、請求項の文言と矛盾しない最大範囲であると認められるべきであり、ここにおいて、単数の要素への参照は、そのように具体的に記載されていない限り、「１つおよび１つのみ」を意味するものではなく、むしろ「１つまたは複数」を意味することが意図される。「例示的な」という用語は、本明細書では「例、実例、または例示を提供する」ことを意味するために使用される。「例示的」なものとして本明細書に説明される任意の態様は、必ずしも、他の態様よりも好ましいまたは有利であると解釈されるべきではない。そうでないことが具体的に記載されていない限り、「いくつかの」という用語は、１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組み合わせ」のような組み合わせは、Ａ、Ｂ、および／またはＣの任意の組み合わせを含み、複数のＡ、複数のＢ、または複数のＣを含み得る。特に、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組み合わせ」のような組み合わせは、Ａのみ、Ｂのみ、Ｃのみ、ＡとＢ、ＡとＣ、ＢとＣ、またはＡとＢとＣであり得、ここで、任意のこのような組み合わせは、Ａ、Ｂ、またはＣの１つまたは複数のメンバーを含み得る。当業者に知られている、あるいは後に知られることになる本開示全体にわたって説明される様々な態様の要素に対するすべての構造的および機能的な同等物は、参照により本明細書に明示的に組み込まれ、請求項に包含されることが意図されている。さらに、本明細書で開示されたものはどれも、このような開示が請求項に明示的に記載されているかどうかに関わらず、公衆に献呈されることが意図されるものではない。「モジュール」、「メカニズム」、「要素」、「デバイス」などの用語は、「手段」という用語の代用ではない可能性があり得る。そのため、要素が「〜のための手段」というフレーズを使用して明示的に記載されていない限り、どの請求項の要素もミーンズプラスファンクションとして解釈されるべきではない。
【図１】
2018523389.tif 000003
【図２Ａ】
2018523389.tif 000004
【図２Ｂ】
2018523389.tif 000005
【図２Ｃ】
2018523389.tif 000006
【図２Ｄ】
2018523389.tif 000007
【図３】
2018523389.tif 000008
【図４】
2018523389.tif 000009
【図５】
2018523389.tif 000010
【図６】
2018523389.tif 000011
【図７】
2018523389.tif 000012
【図８】
2018523389.tif 000013
【図９】
2018523389.tif 000014
【図１０】
2018523389.tif 000015
【国際調査報告】
2018523389.tif 000016
2018523389.tif 000017
2018523389.tif 000018
2018523389.tif 000019